(57)【要約】【課題】例えば通帳送金処理のように通帳と払込書を同時に処理している最中に放出処理が行われた場合、通帳と払込書をずらして重ねて一括放出を行うとともに、放出媒体の取り忘れが発生した場合は、この取り忘れ媒体を識別し、顧客に対して適切なガイダンスを行うことができる複合媒体取扱装置を提供すること。【解決手段】通帳１１と払込書１２からなる複合媒体を取り扱う複合媒体取扱装置において、複合媒体の同時放出時、媒体重ね部８０で媒体を重ねて出入口２０に放出し、この出入口に配設したセンサＳＣ０１乃至ＳＣ０５で取り忘れ媒体を検出し、このセンサの出力を演算処理することにより媒体種別を判別し、判別結果に伴うガイダンスを行うことができる複合媒体取扱装置を提供できるようにした。【選択図】　図２
2004013459.tif 000002
【特許請求の範囲】
【請求項１】
幅及び長さが互いに異なる複数種類の媒体を取り扱う複合媒体取扱装置であって、
前記媒体を重ねた状態で、放出するための放出口と、
この放出口に配設した複数のセンサと、
これらのセンサの出力を演算処理する手段とを備え、
前記演算処理手順の演算結果に基づいて、前記放出口に放出された媒体の種別を判別し、かつ、この判別結果に伴なうガイダンスを行うようにしたことを特徴とする複合媒体取扱装置。
【請求項２】
前記重ねられた媒体の先端が、一定寸法ずれて重なるように構成したことを特徴とする請求項１記載の複合媒体取扱装置。
【請求項３】
媒体の搬送方向に対して、幅及び長さが互いに異なる２種類の媒体を取り扱う複合媒体取扱装置であって、
媒体の放出口に対して、幅大長小の媒体よりも、幅小長大のほうを所定長さ突出した状態で両媒体を重ねて放出する手段と、
前記媒体の放出口に設けられ、幅大長小の媒体の幅方向両端によってそれぞれ遮断される第１のセンサ群と、
幅小長大の媒体が幅方向の何れの位置にあっても、何れかのセンサが遮断される第２のセンサ群とを有し、
これら第１のセンサ群と第２のセンサ群との検出状態に応じて、両媒体が抜き取られたか、または何れか一方の媒体のみが抜き取られたかを判別するようにしたことを特徴とする複合媒体取扱装置。
【発明の詳細な説明】
【０００１】
【発明の属する技術分野】
本発明は、例えば現金自動預け払い機に搭載され、通帳及び払込書を取り扱う複合媒体取扱装置に関する。
【０００２】
【従来の技術】
従来、現金自動預け払い機には、通帳ユニット及び払込書ユニットが個々に搭載されて入金、出金、払込み業務を行っていたが、昨今の技術進歩に伴ない、通帳ユニット及び払込書ユニットを統合し、同一出入口から投入した通帳及び払込書が同一印字部を使用して印字することができるようになった。しかしながら、通帳送金処理のように、通帳と払込書を同時に処理している最中に処理異常等が発生し放出処理を行う場合、先行して放出した媒体が抜き取られたあと次の媒体を放出するので、顧客が取り忘れてしまう危険性がある。
【０００３】
【発明が解決しようとする課題】
そこでこの発明は、例えば通帳送金処理のように、通帳と払込書を同時に処理している最中に放出処理が行われた場合でも、重ねて一括放出を行うことにより、顧客による取り忘れを防止することのできる複合媒体取扱装置を提供するとともに、もし顧客がこの放出媒体の一方を取り忘れた場合でも、この取り忘れ媒体を識別し、顧客に対して適切なガイダンスを行うことができる複合媒体取扱装置を提供することを目的とする。
【０００４】
【課題を解決するための手段】
上記目的を達成するために、請求項１記載の発明は、幅及び長さが互いに異なる複数種類の媒体を取り扱う複合媒体取扱装置であって、
前記媒体を重ねた状態で、放出するための放出口と、この放出口に配設した複数のセンサと、これらのセンサの出力を演算処理する手段とを備え、前記演算処理手順の演算結果に基づいて、前記放出口に放出された媒体の種別を判別し、かつ、この判別結果に伴なうガイダンスを行うようにしたことを特徴としている。
【０００５】
また、請求項３記載の発明は、媒体の搬送方向に対して、幅及び長さが互いに異なる２種類の媒体を取り扱う複合媒体取扱装置であって、媒体の放出口に対して、幅大長小の媒体よりも、幅小長大のほうを所定長さ突出した状態で両媒体を重ねて放出する手段と、前記媒体の放出口に設けられ、幅大長小の媒体の幅方向両端によってそれぞれ遮断される第１のセンサ群と、幅小長大の媒体が幅方向の何れの位置にあっても、何れかのセンサが遮断される第２のセンサ群とを有し、これら第１のセンサ群と第２のセンサ群との検出状態に応じて、両媒体が抜き取られたか、または何れか一方の媒体のみが抜き取られたかを判別するようにしたことを特徴としている。
【０００６】
【発明の実施の形態】
この発明の一実施の形態を図面を用いて説明する。
【０００７】
図１は、例えば本装置が搭載される現金自動預け払い機（ＡＴＭ）の外観図である。この現金現金自動預け払い機１は、本発明が適用される複合媒体取扱ユニット２、カードユニット３、紙幣ユニット４、硬貨ユニット５、操作パネル６で構成されている。
【０００８】
次に、図２及び図３を用いて、複合媒体取扱ユニット２の構成を説明する。
【０００９】
図２は本発明の一実施の形態に係る複合媒体取扱ユニット２の側断面図で、
図３は出入口に配設した媒体検出用光学センサ配置図及び本実施の形態で使用される媒体形状図である。
【００１０】
媒体には、図３（Ｂ）に示すように、通帳１１と払込書１２があり、通帳１１は幅が小さく長さが大きい（幅小長大）形状をしており、払込書１２は幅が大きく長さが小さい（幅大長小）形状をしている。
【００１１】
図２に示す複合媒体取扱ユニット２には、放出口であるところの出入口２０、この出入口から奥側に向かって主搬送路２５が設けられている。そして、この主搬送路２５に沿って、出入口２０側から、光学センサＳＣ０１乃至ＳＣ０５、通帳退避部３０、通帳ページめくり部／幅寄せ部４０、磁気ヘッド部５０、イメージリーダ／ＰＬＦ（印字済行検出）部６０、印字部７０、媒体重ね部８０、通帳回収部１００、払込書収納部９０、機構制御部１１０及び媒体を挟持し搬送するための複数の搬送ローラ及び図示していない電源部も設けられている。
【００１２】
出入口２０は、通帳１１及び払込書１２が投入されたり、放出されるものである。この出入口２０には、光学センサＳＣ０１乃至ＳＣ０５が図３（Ａ）のように配設され、それぞれのセンサは、ＬＥＤからなる投光器と光センサからなる受光器で構成されており、搬送路２５を介して、配設され、搬送路を通過する媒体を検出する。
【００１３】
通帳退避部３０は、払込書の処理中に一時的に通帳１１を退避するのに使われる。
【００１４】
通帳ページめくり／幅寄せ部４０は、通帳１１に印字するための印字行が同一ページに不足した場合に自動的にページめくりを行ったり、磁気ヘッド部５０、イメージリーダ／ＰＬＦ部６０、印字部７０で、読み取り、書き込み及び印字を行うとき、通帳１１の位置がずれによる誤読、誤書き込みが発生するのを防止するために、投入された通帳１１を片側に整位するためのものである。
【００１５】
磁気ヘッド部５０は、磁気ヘッド、磁気ヘッドドライバ、及び通帳押さえローラ５１で構成されており、磁気ヘッドと通帳押さえローラ５１で、搬送される通帳１１の磁気ストライプ部を押圧し、通帳１１の磁気ストライプを磁気ヘッドに接触させ、磁気ストライプの磁気データをリード／ライトする。
【００１６】
イメージリーダ／ＰＬＦ部６０のイメージリーダ部は、照明部とカラーＣＣＤ（ラインセンサ）からなり、搬送される通帳１１のイメージデータを読み取り、その読み取り情報を機構制御部１１０に伝送する。
【００１７】
また、ＰＬＦ部はＬＥＤ照明とモノクロＣＣＤ（ラインセンサ）からなり、搬送される通帳端部に印刷されている通帳１１のページマークや印字済行のイメージデータを読み取り、情報を機構制御部１１０に伝送する。
【００１８】
印字部７０は、印字ヘッド及び印字ドライバ回路で構成されており、機構制御部１１０から通信により伝送されてくるデータを通帳１１及び払込書１２に印字する。
【００１９】
媒体重ね部８０は、搬送分岐ゲート８１、正逆搬送可能な搬送ローラ８２、８５、払込書一時保留部８４、定位置合せ部８８、光学センサＳＣ０Ａ、ＳＣ０Ｂで構成され、通帳１１及び払込書１２の放出要求時、通帳１１の上に払込書１２を重ねる部分である。
【００２０】
払込書収納部９０は、払込書第１収納部９１及び払込書第２収納部９２で構成され、顧客が挿入した払込書１２の様式によりいずれかが選択され、選択された払込書収納部に収容される。
【００２１】
また通帳回収部１００は、出入口２０に取り忘れ通帳１１がある場合に、これを回収し収納する。
【００２２】
次に、機構制御部１１０の構成を説明する。図４は、機構制御部の構成を示すブロック図である。
図４のシステムボード１１１には、ＣＰＵ（主制御部）１１２、データ処理回路１１３、ＲＡＭ１１４、ＲＯＭ１１５、画像メモリ１１６、Ｉ／Ｏポート１１７、１１８などが搭載されており、これらは内部バス１１９を通じて相互に通信を行う。
【００２３】
ＲＯＭ１１５は、この複合媒体取扱ユニット２で実行されるプログラムや各種パラメータが記憶された読み取り専用メモリである。
【００２４】
ＲＡＭ１１４は、プログラム実行のためのワークエリアやデータのストレージのためなどに用いられる読み出しと書き込みが可能なメモリである。
【００２５】
ＣＰＵ１１２は、複合媒体取扱ユニット２の全体的な制御および各種の演算処理を実行し、この演算処理結果をＡＴＭ総合制御部１３０に伝送する。
【００２６】
データ処理回路１１３は、磁気ヘッドドライバ回路５３と接続され、磁気ヘッド５２のリード／ライトデータ処理を行う。磁気ヘッドドライバ回路５３は、データ処理回路１１３で生成された磁気ヘッド用の記録データに基づいて磁気ヘッド５２を駆動したり、磁気ヘッド５２によって通帳１１の磁気ストライプから読み出された信号の処理を行う。
【００２７】
また、データ処理回路１１３は、印字ドライバ回路７３と接続され、印字部７０の印字パターンデータの生成処理などを行う。印字ドライバ回路７３はデータ処理回路１１３によって生成された印字パターンデータに基づいて印字部７０の印字ヘッド７２を駆動する。
【００２８】
システムボード１１１のＩ／Ｏポート１１８には、イメージリーダ／ＰＬＦ６０が接続されている。イメージリーダ部に収納されている記載していないＯＣＲ（光学式文字読み取り）によって帳票（通帳及び払込書）から読み出されたイメージは、Ｉ／Ｏを通り内部バス１１９を通じて画像メモリ１１６に蓄積される。
【００２９】
この画像メモリ１１６に蓄積された帳票イメージに対してＣＰＵ１１２によって文字認識が行われる。
【００３０】
また、Ｉ／Ｏポート１１７には、例えば出入口２０に配設された搬送ローラ対２６をはじめとする各種モータやソレノイドの動力源に駆動信号を供給したり、例えば出入口２０に配設した光学センサＳＣ０１乃至ＳＣ０５及び媒体重ね部８０に配設したＳＣ０Ａ、ＳＣ０Ｂの受光部をパルス点灯するために電圧を供給したり、これらセンサの出力を増幅する増幅器を収納するドライバ回路１２０が接続されている。
【００３１】
また、ＣＰＵ１１２は、ドライバ回路１２０を通して入力された上記光学センサＳＣ０１乃至ＳＣ０５からのセンサ出力を演算処理し、出入口に放出された媒体の媒体種別を判別し、この判別結果に伴なうガイダンスデータをＡＴＭ総合制御部１３０に伝送し、操作パネル６及び図示していない音声案内でガイダンスを行う。
【００３２】
ＡＴＭ総合制御部１３０は、複合媒体取扱ユニット２、カードユニット３、紙幣ユニット４、硬貨ユニット５、操作パネル６で構成される現金自動預け払い機１の各ユニットと相互に通信を行い、現金自動預け払い機１を制御する。また、ＡＴＭ総合制御部１３０は他のオンラインで接続された図示しないセンターとの間で通信を行うことが可能であり、現金自動預け払い機１の取引結果をセンターに通知する。
【００３３】
個々の構成ユニットの動作は以上の通りである。以下、本発明の主要な部分である媒体重ねの動作を図５、図６（Ａ）乃至（Ｅ）を用いて説明する。
【００３４】
図５は、通帳１１の上に払込書１２を重ねる場合の媒体重ねフローチャートである。また、図６（Ａ）乃至（Ｅ）は媒体重ねの動作を時系列に説明する図である。
【００３５】
図６（Ａ）は、媒体重ねの動作において通常状態を示す図である。この状態で、上述した通帳送金処理のように、通帳１１と払込書１２を同時に処理している最中に放出の必要が発生した場合、図４のＡＴＭ総合制御部１３０からＣＰＵ１１２に対して放出要求が行われる。
【００３６】
ＣＰＵ１１２は、図６（Ａ）において、払込書１２が払込書一時保留部８４にあるかどうかを確認し、払込書一時保留部８４に無い場合は分岐ゲート８１を最下にし、払込書１２を払込書一時保留部８４へ搬送し、払込書１２の通過を検出する光学センサＳＣ０Ｂが暗から明になったときに払込書１２の搬送を停止する（図５ステップＳ１〜Ｓ４）。
【００３７】
この時の動作状態を図６（Ｂ）に示す。図６（Ｂ）は媒体重ねの動作において払込書１２を払込書一時保留部へ搬送した図である。
【００３８】
しかしながら、払込書１２が払込書一時保留部８４にすでにある場合は、ステップＳ１〜Ｓ４を実行する必要がないため、図５のステップＳ１からＳ５にジャンプする。
【００３９】
次に、図４のＣＰＵ１１２は分岐ゲート８１を最上にし、搬送路上の通帳１１を定位置合せ部８８へ搬送し、通帳１１の通過を検出する光学センサＳＣ０Ａが明から暗になったときに通帳１１の搬送を停止する（図５ステップＳ５〜Ｓ６）。
【００４０】
この時の動作状態を図６（Ｃ）に示す。図６（Ｃ）は媒体重ねの動作において通帳１１を定位置合せ部へ搬送した図である。
【００４１】
次に、図４のＣＰＵ１１２は、図６（Ｃ）の分岐ゲート８１を中間にし、払込書一時保留部８４にある払込書１２を正逆搬送可能な搬送ローラ８５を逆回転し復帰搬送する。上記光学センサＳＣ０Ｂが暗から明になった後、予め定められたパルス数カウント後、搬送を停止する（図５ステップＳ７〜Ｓ８）。
【００４２】
この時の動作状態を図６（Ｄ）に示す。図６（Ｄ）は媒体重ねの動作において通帳１１の上に払込書１２を復帰搬送している図である。
【００４３】
上記パルス数は、通帳１１の先端と払込書１２の先端がＬだけずれるように設定される。この時の動作状態を図６（Ｅ）に示す。図６（Ｅ）は媒体重ねの動作において通帳１１と払込書１２を重ねた図である。
【００４４】
このようにして重ねられた通帳１１及び払込書１２は、図２に示す主搬送路２５上に対にして配設した正逆搬送可能な搬送ローラ（２６、３１、４１、４２、６１、７１、８２）で挟持され、出入口２０に放出される。このとき、通帳１１及び払込書１２は、図７に示す放出面から放出方向に所定長さ突出する。この突出した部分が出入口２０から出てくるため、顧客が取り出すことができる。
【００４５】
次に、本発明の主要な部分である抜取り媒体種別の判別と判別結果に伴なうガイダンスについて図７、図８、表１を用いて説明する。
【００４６】
図７は放出媒体の残留状態図で、通帳１１及び払込書１２が重ねられて出入口２０に放出され、光学センサＳＣ０１乃至ＳＣ０５を遮断して残留している状態を示す。
【００４７】
次に、これら光学センサＳＣ０１乃至ＳＣ０５について説明する。第１のセンサ群であるＳＣ０１とＳＣ０２は、払込書１２が放出されたときに、この払込書によっていずれのセンサも遮断されるように配設される。
【００４８】
一方第２のセンサ群であるＳＣ０３乃至ＳＣ０５は、通帳１１が放出されたときに、この通帳１１の放出位置が何れの位置にあっても、何れかのセンサが遮断されるように配設される。
【００４９】
このように配設されたこれらの光学センサの出力により、放出された媒体の放出状態及び媒体種別が判別される。
【００５０】
例えば、通帳１１の放出位置により、図７（Ａ）通帳左寄せ、図７（Ｂ）通帳中央、図７（Ｃ）通帳右寄せの残留状態が判別される。
【００５１】
払込書１２は、図３（Ａ）で示すガイドにより、定位置に放出される。この時、通帳１１と払込書１２の放出方向先端が図７（Ａ）に示すようにＬずれて放出される。図７（Ｂ）及び図７（Ｃ）の場合も同様にＬずれて放出される。
【００５２】
図８に残留媒体の抜き取られ検出フローチャートを示す。
【００５３】
図７に示す残留状態で、残留媒体が抜き取られると、光学センサＳＣ０１乃至ＳＣ０５に状態変化が発生する。図４のＣＰＵ１１２はこの状態変化を検出し、残留媒体を判別し、顧客に対してガイダンス処理を行う（ステップＳ１０〜Ｓ１２）。
【００５４】
例えば、通帳１１の上に払込書１２が重なって放出され、払込書１２のみ抜き取られた場合は、上記同様の処理を繰り返し、残留媒体がなくなるまで繰り返す（ステップＳ１３）。しかしながら顧客が取り忘れ、残留媒体が残ってしまった場合は、一定時間経過後、顧客に対して取り忘れ警告を行う（ステップＳ１４〜Ｓ１５）。
【００５５】
下記に示す表１は、残留媒体種別とガイダンス処理を示す表で、媒体種別を判別した結果に基づくガイダンス処理内容を示しており、通帳１１または払込書１２が単独または共に残留した場合を示す一例である。○は光学センサＳＣ０１乃至ＳＣ０５が各々明（遮断されていない）状態であることを示し、●は暗（遮断されている）状態を示す。
【００５６】
例えば、図７（Ａ）通帳左寄せの場合は、ＳＣ０１，ＳＣ０２，ＳＣ０３，ＳＣ０４が暗（●）で、ＳＣ０５が明（○）となり、表１の下から２行目に該当し、通帳１１及び払込書１２が残留しており、ガイダンス処理に示す抜取りガイダンスが行われる。他の場合も同様であるため、説明を省略する。
【００５７】
【表１】
2004013459.tif 000003
以上の実施の形態にすることによって、例えば、以下の効果がえられる。
【００５８】
（１）通帳送金処理のように通帳１１と払込書１２を同時に処理している最中に放出処理を行う場合、通帳１１と払込書１２を重ねて同時に放出するため顧客の取り忘れが少ない。
【００５９】
（２）通帳１１と払込書１２を重ねるとき、通帳１１と払込書１２の先端がＬずれるように重ねるため、２つの媒体を顧客が目視で確認することができ、顧客による取り忘れ防止に効果がある。
【００６０】
（３）顧客が取り忘れをした場合には、第１のセンサ群（ＳＣ０１、ＳＣ０２）及び第２のセンサ群（ＳＣ０３乃至ＳＣ０５）によって、残留媒体の種類を特定できるため、顧客に対して適切なガイダンスを行うことができる。
【００６１】
【発明の効果】
以上述べたように、本発明によれば、例えば通帳送金処理のように通帳と払込書を同時に処理している最中に、放出処理が行われた場合でも、通帳と払込書ずらして重ねて一括放出を行うことにより、顧客による取り忘れを防止することのできる複合媒体取扱装置を提供するとともに、もし顧客がこの放出媒体を取り忘れた場合は、この放出媒体を識別し、顧客に対して適切なガイダンスを行うことができる複合媒体取扱装置を提供することができる。
【図面の簡単な説明】
【図１】本装置が搭載される現金自動預け払い機（ＡＴＭ）外観図。
【図２】本発明の一実施の形態に係る複合媒体取扱ユニットの側断面図。
【図３】本発明の出入口に配設した媒体検出用光学センサ配置図及び媒体形状図。
【図４】本発明の機構制御部の構成を示すブロック図。
【図５】本発明の媒体重ねの流れを示すフローチャート。
【図６】本発明の媒体重ねの動作を説明する図。
【図７】本発明の放出媒体の残留状態図。
【図８】本発明の残留媒体の抜き取られ検出フローチャート。
【符号の説明】
１　現金自動預け払い機（ＡＴＭ）
２　複合媒体取扱装置
３　カードユニット
４　紙幣ユニット
５　硬貨ユニット
６　操作パネル
１１　通帳
１２　払込書
２０　出入口
２５　主搬送路
ＳＣ０１〜ＳＣ０５　光学センサ
ＳＣ０Ａ〜ＳＣ０Ｂ　光学センサ
３０　通帳退避部
４０　通帳ページめくり／幅寄せ部
５０　磁気ヘッド部
５１　通帳押さえローラ
５２　磁気ヘッド
５３　磁気ヘッドドライバ回路
６０　イメージリーダ／ＰＬＦ部
７０　印字部
７２　印字ヘッド
７３　印字ドライバ回路
８０　媒体重ね部
８１　搬送分岐ゲート
８２、８５　搬送ローラ
８４　払込書一時保留部
８８　定位置合せ部
９０　払込書第１収納部
９１　払込書第２収納部
９２　払込書収納部２
１００　通帳回収部
１１０　機構制御部
１１１　システムボード
１１２　ＣＰＵ
１１３　データ処理部
１１４　ＲＡＭ
１１５　ＲＯＭ
１１６　画像メモリ
１１７、１１８　Ｉ／Ｏ
１１９　内部バス
１２０　ドライバ回路
１３０　ＡＴＭ総合制御部
【図１】
2004013459.tif 000004
【図２】
2004013459.tif 000005
【図３】
2004013459.tif 000006
【図４】
2004013459.tif 000007
【図５】
2004013459.tif 000008
【図６】
2004013459.tif 000009
【図７】
2004013459.tif 000010
【図８】
2004013459.tif 000011